(57)【要約】      （修正有）【課題】手についた魚や肉などの食材由来の不快な臭いを落とし、かつ、手でもみ洗いした時の使い心地がよく、水で洗い流したときにさっぱりと流しきることができる、使用感に優れた手指用洗浄剤組成物の提供。【解決手段】油脂含有量７５％以上の手指用洗浄剤組成物であって、（Ａ）エーテル油及び／又はシリコーン油を５％以上２５％以下、（Ｂ１）ＨＬＢ=１１以上の親水性界面活性剤を７％以上２０％以下、（Ｂ２）ＨＬＢ=１１未満の親油性界面活性剤を２％以上１５％以下、（Ｃ）炭化水素油を２０％超６０％以下含有する、手指用洗浄剤組成物。【選択図】なし【特許請求の範囲】
【請求項１】
油脂含有量７５％以上の手指用洗浄剤組成物であって、
（Ａ）エーテル油及び／又はシリコーン油を５％以上２５％以下、
（Ｂ１）ＨＬＢ=１１以上の親水性界面活性剤を７％以上２０％以下、
（Ｂ２）ＨＬＢ=１１未満の親油性界面活性剤を２％以上１５％以下、
（Ｃ）炭化水素油を２０％超６０％以下
含有する、
手指用洗浄剤組成物。
【請求項２】
請求項１に記載の手指用洗浄組成物であって、
（Ｄ）エステル油  １５％以上６５％以下、
をさらに含む、
手指用洗浄剤組成物。
【請求項３】
請求項１又は２に記載の手指用洗浄組成物であって、
前記エーテル油がジカプリリルエーテルであり、
前記シリコーン油がデカメチルシクロペンタシロキサンである、
手指用洗浄剤組成物。
【請求項４】
請求項１ないし３のいずれかに記載の手指用洗浄組成物であって、
（Ｂ１）／（Ｂ２）が、０．５以上４以下である、
手指用洗浄剤組成物。
【請求項５】
請求項１ないし４のいずれかに記載の手指用洗浄組成物であって、
（Ｅ）水を０．５％以上５％未満含有する、
手指用洗浄剤組成物。
【請求項６】
請求項１ないし５のいずれかに記載の手指用洗浄組成物であって、
（Ｆ）保湿成分  ０．０１％以上３％以下をさらに含有する、
手指用洗浄剤組成物。
【発明の詳細な説明】
【技術分野】
【０００１】
本発明は、手についた魚や肉などの食材由来の不快な臭いを落とし、かつ、手でもみ洗いした時の使い心地がよく、水で洗い流したときにさっぱりと流しきることができるため、使用感に優れた手指用洗浄剤組成物に関する。
【背景技術】
【０００２】
家庭のキッチンにはハンドソープや石鹸が常備されていることが多い。調理前に手を洗うのはもちろんのこと、肉や魚などの食材を触った後には、食材独特の臭いが手に付着するので、調理中にも頻繁に使用されている。
【０００３】
ハンドソープなどは、殺菌・洗浄を主目的として、泡立てて使用するものが一般的である。このようなハンドソープなどでは、手についた汚れを洗い流し、殺菌することは可能であるが、調理中に手についた食材独特の臭いは落とすことはできない。これまでに、臭いに関して工夫された洗浄剤も存在するが、その効果は満足のいくものではなかった（特許文献１，２）。
現対処としては、金属石鹸などを使って、無理やり落としている状況であり、手荒れもひどくなりがちで、食材を取り扱う人の不満はとても大きい。
【０００４】
したがって、手についた魚や肉などの食材由来の不快な臭いを落とすことができる手指用の洗浄剤が強く求められている。
【先行技術文献】
【特許文献】
【０００５】
【特許文献１】特開２００６−１８２６９８号公報
【特許文献２】特開平１−２７２５０３号公報
【発明の概要】
【発明が解決しようとする課題】
【０００６】
そこで、本発明の目的は、手についた魚や肉などの食材由来の不快な臭いを落とし、かつ、手でもみ洗いした時の使い心地がよく、水で洗い流したときにさっぱりと流しきることができるため、使用感に優れた手指用洗浄剤組成物を提供することである。
【課題を解決するための手段】
【０００７】
本発明者などは、後述する所定の成分を組み合わせることで、意外にも、手についた魚や肉などの食材由来の不快な臭いを落とし、かつ、手でもみ洗いした時の使い心地がよく、水で洗い流したときにさっぱりと流しきることができるため、使用感に優れた手指用洗浄剤組成物が得られることを見出し、本発明を完成するに至った。
【０００８】
すなわち、本発明は、
（１）油脂含有量７５％以上の手指用洗浄剤組成物であって、
（Ａ）エーテル油及び／又はシリコーン油を５％以上２５％以下、
（Ｂ１）ＨＬＢ=１１以上の親水性界面活性剤を７％以上２０％以下、
（Ｂ２）ＨＬＢ=１１未満の親油性界面活性剤を２％以上１５％以下、
（Ｃ）炭化水素油を２０％超６０％以下
含有する、
手指用洗浄剤組成物、
（２）（１）に記載の手指用洗浄組成物であって、
（Ｄ）エステル油  １５％以上６５％以下、
をさらに含む、
手指用洗浄剤組成物、
（３）（１）又は（２）に記載の手指用洗浄組成物であって、
前記エーテル油がジカプリリルエーテルであり、
前記シリコーン油がデカメチルシクロペンタシロキサンである、
手指用洗浄剤組成物、
（４）（１）ないし（３）のいずれかに記載の手指用洗浄組成物であって、
（Ｂ１）／（Ｂ２）が、０．５以上４以下である、
手指用洗浄剤組成物、
（５）（１）ないし（４）のいずれかに記載の手指用洗浄組成物であって、
（Ｅ）水を０．５％以上５％未満含有する、
手指用洗浄剤組成物、
（６）（１）ないし（５）のいずれかに記載の手指用洗浄組成物であって、
（Ｆ）保湿成分  ０．０１％以上３％以下をさらに含有する、
手指用洗浄剤組成物、
である。
【発明の効果】
【０００９】
本発明によれば、手についた魚や肉などの食材由来の不快な臭いを落とし、かつ、手でもみ洗いした時の使い心地がよく、水で洗い流したときにさっぱりと流しきることができるため、使用感に優れた手指用洗浄剤組成物という、これまで市場にない製品を提供することができ、料理中・料理後に起こる不快な問題を今までにない方法で簡単に解決できる新習慣を提案し、新規市場開拓に貢献する。
【発明を実施するための形態】
【００１０】
以下、本発明を詳細に説明する。
なお、本発明において「％」は「質量％」、「部」は「質量部」を意味する。
【００１１】
＜本発明の特徴＞
本発明は、特定の成分を含有することにより、手についた魚や肉などの食材由来の不快な臭いを落とし、かつ、手でもみ洗いした時の使い心地がよく、水で洗い流したときにさっぱりと流しきることができるため、使用感に優れた手指用洗浄剤組成物であることに特徴を有する。
【００１２】
＜手指用洗浄剤組成物＞
本発明の手指用洗浄剤組成物は、調理により手についてしまう魚や肉などの食材由来の不快な臭いを除去することを主目的として使用される。ここで、魚や肉などの食材由来の不快な臭いの原因となる成分としては、例えば、トリメチルアミン、共役トリエン脂肪酸、アンモニア、アルデヒド類、含硫アミノ酸などが挙げられる。
本発明の手指用洗浄剤組成物は、魚や肉などの食材由来の不快な臭いを十分に除去できるだけでなく、手でもみ洗いした時に、手の上での滑りが良く、なめらかな使い心地を有しているため使用感に優れており、また、水で洗い流したときにさっぱりと流しきることができるという面からも、使用感に優れている。
また、本発明の手指用洗浄剤組成物の性状としては、透明な、液状乃至ペースト状組成物であるとよく、また、手でもみ洗いしても泡立たず、洗い流す際に水と混和されると白濁するものであるとよい。
【００１３】
＜手指用洗浄剤組成物の油脂含有量＞
本発明の手指用洗浄剤組成物の油脂含有量は、炭化水素油、エーテル油、シリコーン油、エステル油、天然素材の抽出油などの合計含有量のことであり、界面活性剤の含有量は含まない。
本発明の手指用洗浄剤組成物の油脂含有量は、７５％以上である。油脂含有量が前記範囲を下回ると、手についた食材由来の不快な臭いを落とし、かつ、使用感に優れた手指用洗浄剤組成物を得ることができない。
また、本発明の手指用洗浄剤組成物の油脂含有量は、７７％以上であるとよい。また、油脂含有量の上限は特に限定されないが、９０％以下であるとよく、さらに８５％以下であるとよい。油脂含有量が前記範囲内であることにより、手についた食材由来の不快な臭いを落とし、かつ、使用感にも優れた手指用洗浄剤が得られ易い。
【００１４】
＜成分（Ａ）＞
本発明の手指用洗浄剤組成物は、前記油脂の成分（Ａ）としてエーテル油及び／又はシリコーン油を５％以上２５％以下含有することにより、手についた食材由来の不快な臭いを落とし、かつ、使用感に優れた手指用洗浄剤組成物を得ることができる。
本発明の手指用洗浄剤組成物に用いるエーテル油及び／又はシリコーン油としては、通常化粧品又は医薬品などに用いられるものであればいずれのものでよく、
前記エーテル油としては、ジカプリリルエーテル、ポリオキシエチレンセチルエーテル、ポリオキシエチレンオクチルドデシルエーテルなど、
前記シリコーン油としては、デカメチルシクロペンタシロキサン、ジメチルポリシロキサン（ジメチコン）、ヘキサメチルジシロキサン、オクタメチルトリシロキサン、オクタメチルシクロテトラシロキサン、トリメチルシロキケイ酸などが挙げられる。
本発明の手指用洗浄剤組成物は、食材由来の不快な臭いの除去能を高め、使用感に優れた手指用洗浄剤組成物が得られ易い観点から、エーテル油とシリコーン油を両方含むとよく、また、エーテル油としてはジカプリリルエーテル、シリコーン油としてはデカメチルシクロペンタシロキサンを含有するとよい。さらに食材由来の不快な臭いの除去能をさらに高められる観点から、成分（Ａ）として、少なくとも、ジカプリリルエーテルを含有するとよく、ジカプリリルエーテル及びデカメチルシクロペンタシロキサンを含有するとよりよい。
【００１５】
成分（Ａ）の含有量は、５％以上２５％以下であり、７％以上２０％以下であるとよく、さらに１０％以上１４％以下であるとよい。成分（Ａ）の含有量が前記範囲外であると、食材由来の不快な臭いを十分に除去することができず、また、手でもみ洗いした時の使い心地の良さが得られず、使用感が悪くなる。
また、成分（Ａ）として、シリコーン油とエーテル油の両方を含む場合、食材由来の不快な臭いの除去能を高め、使用感に優れた手指用洗浄剤組成物が得られ易い観点から、両成分がそれぞれ２％以上含まれているとよく、さらに３％以上含まれているとよい。
【００１６】
＜成分（Ｂ）＞
本発明の手指用洗浄剤組成物は、成分（Ｂ１）としてＨＬＢ=１１以上の親水性界面活性剤を７％以上２０％以下、成分（Ｂ２）としてＨＬＢ=１１未満の親油性界面活性剤を２％以上１５％以下含有することで、使用感に優れ、かつ、手についた食材由来の不快な臭いを落とすことができる。
上記界面活性剤は、特に限定されず、例えば、
ポリオキシエチレンセチルエーテル、ポリオキシエチレンラウリルエーテル、ポリエチレンオクチドデシルエーテルなどのポリオキシエチレンアルキルエーテル、
デカグリセリンステアレート、モノステアリン酸ポリグリセリル、モノオレイン酸ポリグリセリル、ジステアリン酸ポリグリセリル、ジオレイン酸ポリグリセリル、アルキルエトキシジメチルアミンオキシド、セスキカプリル酸ポリグリセリルなどのポリグリセリン脂肪酸エステル、
ヤシ油脂肪酸ジエタノールアミド、パーム油脂肪酸ジエタノールアミドなどの脂肪酸ジエタノールアミド、
ポリエチレングリコールモノラウレート、トリイソステアリン酸ポリオキシエチレングリセリルなどのポリオキシエチレン脂肪酸グリセリル、
ポリオキシエチレン硬化ヒマシ油、リゾレシチン、リン脂質
から選ばれる適切なＨＬＢのもの１種又は２種以上を用いることができる。
成分（Ｂ１）としては、ジオレイン酸ポリグリセリル（ＨＬＢ＝１１）、ポリエチレンオクチルドデシルエーテル（ＨＬＢ＝１２）などが挙げられ、成分（Ｂ２）としては、トリイソステアリン酸ポリオキシエチレングリセリル（ＨＬＢ＝１０）、セスキカプリル酸ポリグリセリル（ＨＬＢ＝８）、ヤシ油脂肪酸ジエタノールアミド（ＨＬＢ＝３．５）などが挙げられる。
なお、食材由来の不快な臭いの除去能を高め、使用感に優れた手指用洗浄剤組成物が得られ易い観点から、成分（Ｂ１）としてＨＬＢ１１以上１４以下の親水性界面活性剤を用いるとよい。
【００１７】
界面活性剤の含有量は、食材由来の不快な臭いの除去能を高め、使用感に優れた手指用洗浄剤組成物が得られ易い観点から、９％以上２５％以下であるとよく、さらに１０％以上２０％以下であるとよい。
成分（Ｂ１）の含有量は、７％以上２０％以下であり、より好ましくは９％以上１７％以下である。成分（Ｂ２）の含有量は、２％以上１５％以下であり、より好ましくは５％以上１０％以下である。含有量が前記範囲外であると、食材由来の不快な臭いを落としきることができず、また、手でもみ洗いした時の使い心地が悪く、水で洗い流したときにさっぱりと流しきることもできない。
さらに、成分（Ｂ２）の含有量に対する成分（Ｂ１）の含有量（以下、（Ｂ１）／（Ｂ２）とも記載する。）が、０．５以上４以下であるとよく、さらに０．８以上３以下であるとよい。両成分の比率が前記範囲内であることにより、食材由来の不快な臭いの除去能を高めることができ、かつ、手でもみ洗いした時の使い心地がよく、水で洗い流したときにさっぱりと流しきることができる手指用洗浄剤組成物が得られ易い。
【００１８】
＜成分（Ｃ）＞
本発明の手指用洗浄剤組成物は、前記油脂の成分（Ｃ）として炭化水素油を２０％超６０％以下含有することで、使用感に優れ、かつ、手についた食材由来の不快な臭いを落とすことができる。
前記炭化水素油の種類は、特に限定されず、流動パラフィン、スクワラン、スクワレン、プリスタン、イソパラフィン、α―オレフィンオリゴマー、ワセリンなどを用いることができ、食材由来の不快な臭いの除去能を高め、使用感に優れた手指用洗浄剤組成物が得られ易い観点から、流動パラフィン、スクワランなどを用いるとよく、さらに流動パラフィンを用いるとよい。
【００１９】
炭化水素油の含有量は、食材由来の不快な臭いの除去能を高め、使用感に優れた手指用洗浄剤組成物が得られ易い観点から、２０％超６０％以下であり、さらに２５％以上５０％以下であるとよい。含有量が前記範囲外であると、食材由来の不快な臭いを落としきることができず、また、手でもみ洗いした時の使い心地が悪く、水で洗い流したときにさっぱりと流しきることもできない。
【００２０】
＜成分（Ｄ）＞
本発明の手指用洗浄剤組成物は、食材由来の不快な臭いの除去能を高め、使用感に優れた手指用洗浄剤組成物が得られ易い観点から、前記油脂の成分（Ｄ）としてエステル油を含有するとよい。
前記エステル油は、特に限定されず、ミリスチン酸イソプロピル、ミリスチン酸オクチルドデシルなどのミリスチン酸エステル、パルミチン酸オクチル、パルミチン酸エチルヘキシルなどのパルミチン酸エステル、ステアリン酸イソセチルなどのステアリン酸エステル、イソステアリン酸イソプロピルなどのイソステアリン酸エステル、イソパルミチン酸オクチルなどのイソパルミチン酸エステルなどを用いることができるが、
食材由来の不快な臭いの除去能をさらに高めることができる観点から、パルミチン酸エチルヘキシルを含有するとよく、パルミチン酸エチルヘキシルとミリスチン酸イソプロピルの両方を含有するとよりよい。
【００２１】
成分（Ｄ）の含有量は、１５％以上６５％以下であるとよく、さらに２０％以上６０％以下であるとよい。成分（Ｄ）の含有量が前記範囲内であることにより、食材由来の不快な臭いの除去能を高めることができ、かつ、手でもみ洗いした時の使い心地がよく、水で洗い流したときにさっぱりと流しきることができる手指用洗浄剤組成物が得られ易い。
さらに、成分（Ｄ）としてパルミチン酸エチルヘキシルとミリスチン酸イソプロピルの両方を含有する場合には、両成分を、それぞれ３％以上ずつ含有することで、さらに食材由来の不快な臭いの除去能を高めることができ、使用感に優れた手指用洗浄剤組成物を得ることができる。
【００２２】
＜成分（Ｅ）、（Ｆ）＞
本発明の手指用洗浄剤組成物は、後述する成分（Ｅ）と成分（Ｆ）を含有するとよく、両成分の和が、１％以上６％以下であるとよく、さらに２％以上５．５％以下であるとよい。成分（Ｅ）と成分（Ｆ）の含有量が前記範囲内であることにより、食材由来の不快な臭いの除去能を高めることができ、かつ、手でもみ洗いした時の使い心地がよく、水で洗い流したときにさっぱりと流しきることができる手指用洗浄剤組成物が得られ易い。
【００２３】
＜成分（Ｅ）＞
本発明の手指用洗浄剤組成物は、成分（Ｅ）として水を０．５％以上５％以下含有するとよく、さらに１％以上４％以下であるとよい。成分（Ｅ）の含有量が前記範囲内であることにより、食材由来の不快な臭いの除去能を高めることができ、かつ、手でもみ洗いした時の使い心地がよく、水で洗い流したときにさっぱりと流しきることができる手指用洗浄剤組成物が得られ易い。
【００２４】
＜成分（Ｆ）＞
本発明の手指用洗浄剤組成物は、成分（Ｆ）保湿成分を含有することにより、食材由来の不快な臭いの除去能を高め、使用感に優れた手指用洗浄剤組成物が得られ易い。
成分（Ｆ）としては、後述するヒアルロン酸類、グリセリン、尿素、ソルビトール、マルチトール、アミノ酸、ピロリドンカルボン酸ナトリウム、セラミド、化学修飾コラーゲンなどが挙げられるが、魚や肉などの食材由来の不快な臭いをより効果的に除去し、また、粘度の調整が可能であるために使用感に優れた手指用洗浄剤組成物が得られやすいことから、ヒアルロン酸類を含有するとよい。
成分（Ｆ）の含有量は、０．０１％以上３％以下であるとよく、さらに０．０２％以上２％以下であるとよい。成分（Ｆ）の含有量が前記範囲内であることにより、食材由来の不快な臭いの除去能を高めることができ、かつ、手でもみ洗いした時の使い心地がよく、水で洗い流したときにさっぱりと流しきることができる手指用洗浄剤組成物が得られ易い。
【００２５】
＜ヒアルロン酸類＞
本発明に用いる「ヒアルロン酸類」とは、ヒアルロン酸及びヒアルロン酸誘導体ならびにそれらの塩を含む概念である。なお、「ヒアルロン酸」は、グルクロン酸とＮ−アセチルグルコサミンとの二糖からなる繰り返し構成単位を１以上有する多糖類をいうものとする。
本発明において、「ヒアルロン酸誘導体」とは、ヒアルロン酸に含まれる官能基（例えば、水酸基、カルボキシル基、アミド基）が修飾された化合物であり、例えば、カチオン化ヒアルロン酸、アシル化ヒアルロン酸、アセチル化ヒアルロン酸などが挙げられる。
また、「ヒアルロン酸の塩又はヒアルロン酸誘導体の塩」としては、特に限定されないが、食品又は薬学上許容しうる塩であることが好ましく、例えば、ナトリウム塩、カリウム塩、カルシウム塩、亜鉛塩、マグネシウム塩、アンモニウム塩などが挙げられる。
【００２６】
＜成分（D）に対する成分（Ｃ）の含有比率＞
また、本発明の手指用洗浄剤組成物が親水性成分である成分（Ｅ）及び／又は（Ｆ）を含む場合、低温環境下（例えば４℃で１ヶ月）で保管すると分離・析出を生じやすくなる。そこで、手指用洗浄剤組成物が成分（Ｅ）及び／又は（Ｆ）を含む場合、安定性の観点から、成分（D）に対する成分（Ｃ）の含有比率（以下、「（C）／（D）」とも記載する。）は、２以下であるとよく、１．５以下であるとよりよく、下限値は０．１以上であるとよく、０．２以上であるとよりよい。含有比率が前記範囲内であることにより、親水性成分の溶解性が下がり析出しやすくなる低温環境下（例えば４℃で１ヶ月）で保管しても、分離・析出を生じることなく、優れた洗浄力と使用感を維持しやすくなる。
【００２７】
＜その他の成分＞
本発明の手指用洗浄剤組成物は、本発明の効果を妨げない範囲でその他の成分を含有してもよく、例えば、粘度調整剤、乳化剤、アルコール類、植物エキス類、着色料、香料、抗酸化剤、キレート剤、防腐剤などが挙げられる。
【００２８】
＜製造方法＞
本発明の手指用洗浄剤組成物の製造方法は、例えば成分を混合し、撹拌することによって調製できる。
ただし、本発明の手指用洗浄剤組成物が成分（Ｅ）及び／又は（Ｆ）を含む場合には、安定性の観点から、成分（Ｅ）及び／又は（Ｆ）を混合した液を、あらかじめ他の成分を混合した調製液に徐々に添加して調整するとよい。
【実施例】
【００２９】
次に、本発明を実施例、比較例及び試験例に基づき、さらに説明する。
なお、本発明はこれに限定するものではない。
【００３０】
［実施例１］
表１に基づいて手指用洗浄剤組成物を調製した。
具体的には、成分（Ｅ）に成分（Ｆ）を溶解させ、あらかじめその他の成分を混合した調製液に徐々に添加して、実施例１の手指用洗浄剤組成物を得た。
【００３１】
［表１］
2018199759.tif 000002
【００３２】
実施例１の手指用洗浄剤組成物の効果や使用感を確認するために、次の評価方法を用いた。
魚油を両手に万遍なく塗り広げ、両手を顔に近付けるのが著しく不快なくらいに臭いを付着させた。続いて手を水で洗浄した後、本発明の手指用洗浄剤組成物を手に適量とってなじませ、さらに水で洗い流した。
そして、洗浄後の手に残った臭いの強さと、手でもみ洗いした時の使い心地や洗浄後のべたつきについても官能評価をおこなった。
【００３３】
実施例１の手指用洗浄剤組成物について評価を行った結果、手についた食材の不快な臭いを落としきることができ、また、手でもみ洗いした時の使い心地がよく、洗浄後のべたつきを感じず、使用感が非常によかった。
【００３４】
［試験例１］
成分（Ａ）の種類の影響を検討するため、試験例１を実施した。
成分（Ａ）の種類を表２のように変更した以外は実施例１と同様に各実施例及び比較例の手指用洗浄剤組成物を調製した。
続いて、各手指用洗浄剤組成物について、前述した評価方法にて、臭いの除去能と使用感を評価した。結果は下記基準に基づき、表２に示した。
【００３５】
＜評価基準＞
臭いの除去能：洗浄後の手に残った臭いの強さ
◎：臭いを落としきることができた。
〇：臭いをほとんど落とすことができた。
△：やや臭いが残ったが、問題ない範囲であった。
×：臭いが残り、非常に不快であった。
使用感：手でもみ洗いした時の使い心地や洗浄後のべたつき
◎：使い心地が非常によく、洗浄後のべたつきを感じず、使用感が非常によかった。
〇：使い心地がよく、洗浄後のべたつきもほぼ感じず、使用感がよかった。
△：使い心地にやや違和感があり、洗浄後にはべたつきをやや感じるが、気にならない範囲であった。
×：使い心地に違和感があり、又は、洗浄後にはべたつきを感じ、使用感が悪かった。
【００３６】
［表２］
2018199759.tif 000003
【００３７】
表２に示した結果から、エーテル油としてはジカプリリルエーテル、シリコーン油としてはデカメチルシクロペンタシロキサンを含有するとよく、さらに、両方含むとよいことが理解できる。
【００３８】
［試験例２］
成分（Ａ）の含有量の影響を検討するため、試験例２を実施した。
成分（Ａ）などの含有量を表３のように変更した以外は実施例１と同様に各実施例及び比較例の手指用洗浄剤組成物を調製した。
続いて、各手指用洗浄剤組成物について、前述した評価方法にて、臭いの除去能と使用感を評価した。評価は、試験例１と同様に行い、表３に結果を示した。
【００３９】
［表３］
2018199759.tif 000004
【００４０】
実施例１，７，８及び比較例２，３より、成分（Ａ）の含有量は５％以上２５％以下であり、さらに７％以上２０％以下であるとよいことが理解できる。
さらに、実施例１，９及び１０より、シリコーン油とエーテル油をそれぞれ３％以上含有するとよく、特に、ジカプリリルエーテルを３％以上含有することが好ましいことが理解できる。
【００４１】
［試験例３］
成分（Ｂ）の影響を検討するため、試験例３を実施した。
成分（Ｂ）などの種類及び含有量を表４のように変更した以外は実施例１と同様に各実施例及び比較例の手指用洗浄剤組成物を調製した。
続いて、各手指用洗浄剤組成物について、前述した評価方法にて、臭いの除去能と使用感を評価した。評価は、試験例１と同様に行い、表４に結果を示した。
【００４２】
［表４］
2018199759.tif 000005
【００４３】
表４の実施例１，１１から、成分（Ｂ１）として、ＨＬＢ１４以下の界面活性剤を使用すると良いことが理解できる。
また、実施例１、比較例４，５の結果から、成分（Ｂ１）と（Ｂ２）を両方含有する必要があることが理解できる。
さらに、実施例１，１２〜１４から、（Ｂ１）／（Ｂ２）は０．５以上４以下が好ましく、さらに０．８以上３以下が好ましいことが理解できる。
【００４４】
［試験例４］
成分（Ｃ）、（Ｄ）の影響を検討するため、試験例４を実施した。
各成分の含有量を表５にしたがって変更した以外は、実施例１と同様に各実施例及び比較例の手指用洗浄剤組成物を調製した。
続いて、各手指用洗浄剤組成物について、前述した評価方法にて、臭いの除去能と使用感を評価した。評価は、試験例１と同様に行い、表５に結果を示した。
【００４５】
［表５］
2018199759.tif 000006
【００４６】
表５の実施例１，１５，１６から、成分（Ｄ）として、パルミチン酸エチルヘキシルを含有するとよく、パルミチン酸エチルヘキシルとミリスチン酸イソプロピルの両方を含有するとよりよいことが理解できる。
また、実施例１及び１９から、成分（Ｄ）の含有量は、１５％以上であることが好ましいことが理解できる。
さらに、成分（Ｄ）に対する成分（Ｃ）の含有比率（（C）／（Ｄ））が２超である実施例１７、１８は、低温（４℃）で保存することにより、他の製剤と比較して分離が生じやすい傾向がみられ、製品としては問題のない範囲であるが、安定性の面で劣っていた。すなわち、成分（Ｄ）に対する成分（Ｃ）の含有比率は２以下であると安定性に優れた手指用洗浄剤組成物が得られ易いことが理解できる。
【００４７】
［試験例５］
成分（Ｅ）、（Ｆ）の影響を検討するため、試験例５を実施した。
成分（Ｅ）、（Ｆ）などの含有量を表６のように変更した以外は実施例１と同様に各実施例及び比較例の手指用洗浄剤組成物を調製した。
続いて、各手指用洗浄剤組成物について、前述した評価方法にて、臭いの除去能と使用感を評価した。評価は、試験例１と同様に行い、表６に結果を示した。
【００４８】
［表６］
2018199759.tif 000007
【００４９】
実施例１，２０，２３の結果から、成分（Ｅ）である水の含有量は０．５％以上５％未満であるとよいことが理解できる。
また、実施例２１，２２の結果から、成分（Ｆ）としてヒアルロン酸を含有することが好ましいことが理解できる。
【００５０】
［実施例２４］
実施例１の成分（Ｃ）として流動パラフィンをスクワランに変更した以外は実施例１と同様に実施例２４の手指用洗浄剤組成物を調製した。
続いて、各手指用洗浄剤組成物について、前述した評価方法にて、臭いの除去能と使用感を評価したところ、手についた食材の不快な臭いをほとんど落としきることができ、また、使い心地がよく、洗浄後のべたつきもほぼ感じず、使用感がよかった。
【００５１】
［比較例６］
実施例１の配合を表７にしたがって変更した以外は実施例１と同様に比較例６の手指用洗浄剤組成物を調製した。得られた比較例６の手指用洗浄剤組成物は白く濁ったものであった。
続いて、各手指用洗浄剤組成物について、前述した評価方法にて、臭いの除去能と使用感を評価した。
表７に記載の結果から、本発明の手指用洗浄剤組成物の油脂含有量は、７５％以上であるとよいことが理解できる。
【００５２】
［表７］
2018199759.tif 000008